(57)【要約】【課題】衣類乾燥機に設ける、共通の駆動モータで駆動される回転ドラムと給排気ファンとの回転異常を生じたときに、モータの異常か、ドラム単独の異常か、ファン単独の異常かを正確に可及的短時間に識別してその旨を表示できるようにする。【解決手段】回転ドラムの回転パルスが発生しないまま第１の設定時間ＹＴ１が経過したときにドラム異常フラグＦＤを１にセットする。また、給排気ファンの回転パルスが発生しないまま第２の設定時間ＹＴ２（＜ＹＴ１）が経過したときにファン異常フラグＦＦを１にセットする。ＦＦ＝１になったとき、ＹＴ１とＹＴ２の時間差分の待ち時間ΔＴ経過後にＦＤ＝１になっていれば、モータ異常と判断し、そうでなければファン単独の異常と判断する。ＦＦ≠１の状態でＦＤ＝１になったときは、ドラム単独の異常と判断する。【選択図】  図３
2004248729.tif 000002
【特許請求の範囲】
【請求項１】
衣類を収納する回転ドラムと、回転ドラムへの給気と排気とを行う給排気ファンと、回転ドラムに対する給気通路に配置した加熱手段と、回転ドラムと給排気ファンとに共通の駆動モータとを備える衣類乾燥機であって、
回転ドラムに取り付けた被検出片と協働して回転ドラムの回転速度に応じた周期の検出パルスを発生するドラム用回転検出器と、給排気ファンに取り付けた被検出片と協働して給排気ファンの回転速度に応じた周期の検出パルスを発生するファン用回転検出器とを備えるものにおいて、
ドラム用回転検出器の検出パルスが発生されてから、回転ドラムの異常判別基準となる所定の第１の設定時間が経過するまでに、ドラム用回転検出器の次の検出パルスが発生されないときに、回転ドラムの回転異常有りと判別するドラム用異常判別手段と、
ファン用回転検出器の検出パルスが発生されてから、給排気ファンの異常判別基準となる、前記第１の設定時間に対する時間比が給排気ファンに対する回転ドラムの回転速度比以上となる範囲で前記第１の設定時間より短く設定される所定の第２の設定時間が経過するまでに、ファン用回転検出器の次の検知パルスが発生されないときに、給排気ファンの回転異常有りと判別するファン用異常判別手段と、
ドラム用異常判別手段とファン用異常判別手段との判別結果に基づいて駆動モータの異常か回転ドラム単独の異常か給排気ファン単独の異常かを識別する異常識別手段とを備え、
異常識別手段は、ファン異常判別手段で給排気ファンの回転異常有りと判別されたとき、前記第１の設定時間と前記第２の設定時間との差分の待ち時間経過したところで、ドラム異常判別手段により回転ドラムの回転異常有りと判別されているか否かを判別し、回転ドラムの回転異常有りと判別されていれば、駆動モータの異常と識別してその旨を表示し、回転ドラムの回転異常有りと判別されていなければ、給排気ファン単独の異常と識別してその旨を表示し、ファン異常判別手段で給排気ファンの回転異常有りと判別されていない状態でドラム異常判別手段により回転ドラムの回転異常有りと判別されたときは、回転ドラム単独の異常と識別してその旨を表示することを特徴とする衣類乾燥機。
【請求項２】
前記ドラム異常判別手段と前記ファン異常判別手段との少なくとも一方で回転ドラムまたは給排気ファンの回転異常有りと判別されたときに、前記加熱手段の作動を停止する加熱停止手段を備えることを特徴とする請求項１に記載の衣類乾燥装置。
【発明の詳細な説明】
【０００１】
【発明の属する技術分野】
本発明は、衣類を収納する回転ドラムと、回転ドラムへの給気と排気とを行う給排気ファンと、回転ドラムに対する給気通路に配置した加熱手段と、回転ドラムと給排気ファンとに共通の駆動モータとを備える衣類乾燥機に関する。
【０００２】
【従来の技術】
この種の衣類乾燥機においては、駆動モータの故障または駆動モータに連結される回転ドラム用や給排気ファン用の駆動ベルトの破断により、乾燥運転中に回転ドラムや給排気ファンが停止する可能性がある。回転ドラムや給排気ファンが停止した状態で乾燥運転を継続すると、衣類や機器に悪影響が及ぶ。
【０００３】
そこで、従来、回転ドラムに取り付けた被検出片と協働して回転ドラムの回転速度に応じた周期の検出パルスを発生するドラム用回転検出器と、給排気ファンに取り付けた被検出片と協働して給排気ファンの回転速度に応じた周期の検出パルスを発生するファン用回転検出器とを設け、回転ドラムと給排気ファンの回転異常を検出するようにした衣類乾燥機が知られている（例えば、特許文献１参照。）。
【０００４】
このものでは、ドラム用とファン用の回転検出器からの検出パルスをコントローラに入力して、検出パルスの発生周期から回転ドラムと給排気ファンの回転速度を算定し、回転ドラムと給排気ファンとの何れかの回転速度が所定速度を下回ったときに、加熱手段の作動を停止し、その後も一定時間継続して所定速度を下回った場合に異常表示を行うようにしている。また、回転ドラムと給排気ファンの両者の回転速度が所定速度を下回ったときは、直ちに異常表示を行うようにしている。
【０００５】
【特許文献１】
特開２００２−３１５９９９号公報（第３〜第５頁、図３〜図６）
【０００６】
【発明が解決しようとする課題】
上記従来例のように、回転ドラムや給排気ファンの回転検出パルスの発生周期から算出される回転速度に基づく判別を行う場合には、検出パルスの発生周期が確定するまで回転速度と所定速度との比較による異常判別処理を行うことができない。ここで、衣類乾燥機では、一般に、コストダウンのため、回転ドラムや給排気ファンに取り付ける被検出片の数を１個とし、１回転で１個の検出パルスが発生されるようにしている。この場合、異常判別の基準になる所定速度を極低速度、例えば、１０ｒｐｍに設定すると、検出パルスの発生周期は６秒になる。このように周期が長くなると、回転ドラムの場合、その回転速度が１０ｒｐｍに低下する前に検出パルスが発生されてから次の検出パルスが発生される迄に回転が停止してしまうことがある。回転が停止すると、最早検出パルスは発生されないため、検出パルスの発生周期が確定せず、判別処理の進行がそこで停滞してしまう。
【０００７】
そこで、上記従来例では、異常判別の基準になる所定速度を比較的高く設定している。そのため、衣類の片寄り等による負荷変動で回転ムラを生じたときに、回転ドラムの回転速度が一時的に所定値を下回ってしまうことがある。このとき直ちに異常表示したのでは、誤表示になる。そこで、上記従来例では、回転ドラムの回転速度が所定速度を下回ったまま一定時間経過したときに、異常表示を行うようにしている。
【０００８】
そのため、上記従来例のものでは、異常表示がされるまでに時間がかかってしまう。また、上記従来例では、給排気ファンや回転ドラムの回転速度が所定速度を下回ったときに、直ちに加熱手段の作動を停止しているが、回転ムラで一時的に所定速度を下回ることは間々あり、その度に加熱を停止していたのでは、乾燥時間が長引くことになり、使用者に不信感を与えることにもなる。
【０００９】
更に、上記従来例では、給排気ファンと回転ドラムの両者の回転速度が所定速度を下回ったときは、直ちに異常表示を行うようにしているが、回転ドラムの負荷変動でその回転速度が低下するときは、共通の駆動モータで駆動される給排気ファンの回転速度も低下するため、誤表示になる可能性が高くなる。
【００１０】
また、上記従来例では、異常表示を行うだけで、駆動モータの異常か、回転ドラム単独の異常か、給排気ファン単独の異常かを識別して表示しないが、事後対策のためには、異常の種類を識別して表示することが望まれる。
【００１１】
本発明は、以上の点に鑑み、駆動モータの異常か、回転ドラム単独の異常か、給排気ファン単独の異常かを識別して、正確に可及的短時間で異常を表示し得るようにした衣類乾燥機を提供することをその課題としている。
【００１２】
【課題を解決するための手段】
上記課題を解決するために、本発明は、衣類を収納する回転ドラムと、回転ドラムへの給気と排気とを行う給排気ファンと、回転ドラムに対する給気通路に配置した加熱手段と、回転ドラムと給排気ファンとに共通の駆動モータとを備える衣類乾燥機であって、回転ドラムに取り付けた被検出片と協働して回転ドラムの回転速度に応じた周期の検出パルスを発生するドラム用回転検出器と、給排気ファンに取り付けた被検出片と協働して給排気ファンの回転速度に応じた周期の検出パルスを発生するファン用回転検出器とを備えるものにおいて、ドラム用回転検出器の検出パルスが発生されてから、回転ドラムの異常判別基準となる所定の第１の設定時間が経過するまでに、ドラム用回転検出器の次の検出パルスが発生されないときに、回転ドラムの回転異常有りと判別するドラム用異常判別手段と、ファン用回転検出器の検出パルスが発生されてから、給排気ファンの異常判別基準となる、前記第１の設定時間に対する時間比が給排気ファンに対する回転ドラムの回転速度比以上となる範囲で前記第１の設定時間より短く設定される所定の第２の設定時間が経過するまでに、ファン用回転検出器の次の検出パルスが発生されないときに、給排気ファンの回転異常有りと判別するファン用異常判別手段と、ドラム用異常判別手段とファン用異常判別手段との判別結果に基づいて駆動モータの異常か回転ドラム単独の異常か給排気ファン単独の異常かを識別する異常識別手段とを備え、異常識別手段は、ファン用異常判別手段で給排気ファンの回転異常有りと判別されたとき、前記第１の設定時間と前記第２の設定時間との差分の待ち時間経過したところで、ドラム用異常判別手段により回転ドラムの回転異常有りと判別されているか否かを判別し、回転ドラムの回転異常有りと判別されていれば、駆動モータの異常と識別してその旨を表示し、回転ドラムの回転異常有りと判別されていなければ、給排気ファン単独の異常と識別してその旨を表示し、ファン用異常判別手段で給排気ファンの回転異常有りと判別されていない状態でドラム用異常判別手段により回転ドラムの回転異常有りと判別されたときは、回転ドラム単独の異常と識別してその旨を表示することを特徴とする。
【００１３】
上記の構成によれば、回転ドラムや給排気ファンの回転が次の検出パルスの発生前に停止されても、最後の検出パルスの発生時点から第１と第２の各設定時間が経過したところで異常有りと判別される。従って、回転ドラムの負荷変動による回転ムラでは到底低下しない極低速の回転速度に対応する時間に第１の設定時間を設定しても、判別処理の進行が停滞することはない。そして、第１の設定時間をこのように設定することにより、回転ドラムの回転ムラによる速度低下で異常有りと誤判別することを防止できる。尚、給排気ファンの定常回転速度は回転ドラムのそれよりも遥かに速い。そのため、第２の設定時間は、第１の設定時間より短くても、対応する給排気ファンの回転速度が回転ムラでは到底低下しない速度範囲になるような時間に設定でき、回転ムラによる誤判定を防止できる。
【００１４】
駆動モータが故障で停止すると、回転ドラムと給排気ファンとの両者の回転も停止する。ここで、ドラム用回転検出器からの検出パルスの発生周期が第１の設定時間になる回転速度をドラム異常判別速度、ファン用回転検出器からの検出パルスの発生周期が第２の設定時間になる回転速度をファン異常判別速度とする。本発明では、第１の設定時間と第２の設定時間との時間比が給排気ファンと回転ドラムとの回転速度比以上になっているため、回転ドラムの回転速度がドラム異常判別速度に低下した時点では、給排気ファンの回転速度はファン異常判別速度まで低下していない。従って、ファン用回転検出器からの検出パルスの発生周期が第２の設定時間以上になるのよりも早くドラム用回転検出器からの検出パルスの発生周期が第１の設定時間以上になる。そして、ファン用回転検出器から検出パルスが発生されないまま第２の設定時間が経過し、ファン用異常判別手段で給排気ファンの回転異常有りと判別された時点から第１の設定時間と第２の設定時間との差分の時間が経過した時点では、ドラム用回転検出器から検出パルスが発生されないまま第１の設定時間以上の時間が経過していることになり、ドラム用異常判別手段で既に回転ドラムの異常有りと判別されている。
【００１５】
然し、ファン用異常判別手段で給排気ファンの回転異常有りと判別された時点では、ドラム用異常判別手段で回転ドラムの回転異常有りと判別されていないことがある。従って、ファン用異常判別手段で給排気ファンの回転異常有りと判別されたときに、直ちに、ドラム用異常判別手段で回転ドラムの回転異常有りと判別されているか否かを判別し、その結果で駆動モータの異常か給排気ファン単独の異常かを識別した場合には、給排気ファン単独の異常であると誤って識別されてしまう可能性がある。
【００１６】
一方、ファン用異常判別手段で給排気ファンの回転異常有りと判別されたとき、その時点から第１の設定時間が経過するまでにドラム用回転検出器から検出パルスが発生されなかった場合に、駆動モータの異常と識別してその旨を表示することが考えられる。然し、これでは、異常表示までの遅れ時間が第２の設定時間と第１の設定時間との合計時間になってしまい、異常表示に時間がかかる。
【００１７】
これに対し、本発明のように、ファン用異常判別手段で給排気ファンの回転異常有りと判別されたとき、第１の設定時間と第２の設定時間との差分の待ち時間経過したところで、ドラム用異常判別手段により回転ドラムの回転異常有りと判別されているか否かを判別すれば、駆動モータの異常であるか給排気ファン単独の異常であるかを正確に識別して、可及的短時間に異常の種別に応じた正確な表示を行うことができる。
【００１８】
回転ドラム単独の異常を生じたときは、ファン用異常判別手段で給排気ファンの回転異常有りとは判別されない。そのため、本発明では、ファン用異常判別手段で給排気ファンの回転異常有りと判別されていない状態でドラム異常判別手段により回転ドラムの回転異常有りと判別されたときは、回転ドラム単独の異常と識別してその旨を表示している。ここで、本発明では、上記の如く回転ドラムの回転ムラによる速度低下で回転ドラムの回転異常有りと判別されることを防止できるため、誤表示は生じない。
【００１９】
また、回転ドラムや給排気ファンの回転異常を生じたときの衣類や機器への悪影響を回避するため、ドラム異常判別手段とファン異常判別手段との少なくとも一方で回転ドラムまたは給排気ファンの回転異常有りと判別されたときに、加熱手段の作動を停止する加熱停止手段を設けることが望ましい。ここで、本発明では、回転ムラによる回転速度の一時的な低下で異常有りと判別されることを防止できるため、回転ムラに起因して頻繁に加熱が停止されることはない。従って、乾燥時間が長引いて、使用者に不信感を与えるようなことを防止できる。
【００２０】
尚、後記する実施形態において、上記ドラム用異常判別手段に相当するのは、図３（ａ）に示すドラム用異常判別処理であり、上記ファン用異常判別手段に相当するのは、図３（ｂ）に示すファン用異常判別処理であり、上記異常識別手段に相当するのは、図３（ｃ）に示す異常判別処理であり、上記加熱停止手段に相当するのは、図３（ｃ）のＳ２２，Ｓ２８のステップである。
【００２１】
【発明の実施の形態】
図１を参照して、１は衣類乾燥機の機体であり、機体１内には、衣類Ｍが投入される回転ドラム２が設けられている。機体１の下面にはフィルタ３ａ付きの給気口３が開設されている。また、回転ドラム２の背面には、フィルタ４ａ付きの排気口４が開設されており、この排気口４に連通する排気ダクト５が機体１内の後部に設けられている。そして、排気ダクト５内に、回転ドラム２内の空気を排気口４を介して排気しつつ、給気口３からの空気を回転ドラム２内に供給する給排気ファン６を配置している。回転ドラム２と給排気ファン６とは、共通の駆動モータ７により、夫々、ベルト２ａ，６ａを介して回転駆動される。尚、給排気ファン６に対する回転ドラム２の回転速度比（ドラム速度／ファン速度）は約１／３０である。
【００２２】
また、機体１内には、回転ドラム２に対する給気口３からの空気の給気通路に位置させて、加熱手段たるバーナ８と、バーナ８の燃焼排ガスを空気と共に温風として回転ドラム２内に導く燃焼筐９とが配置されている。バーナ８に対するガス供給路８ａには、第１と第２の一対の電磁弁１０，１１と、比例弁１２とが介設されている。また、燃焼筐９には、バーナ８に点火する点火電極１３と、失火検知のための第１サーモカップル１４と、過熱検知のための第２サーモカップル１５と、バイメタルスイッチから成る第１オーバーヒートスイッチ１６（作動温度１５０℃）と、回転ドラム２に供給される温風の温度を検出する吹出温センサ１７とが設けられている。
【００２３】
センサ類としては、更に、回転ドラム２のドア１８の開閉を検出するドアスイッチ１９と、回転ドラム２内の衣類Ｍの温度を検出する衣類温センサ２０と、回転ドラム２内の衣類Ｍに接触する一対の電極２１ａ，２１ｂ間の抵抗変化から衣類Ｍの乾燥度合いを検出する電極センサ２１と、排気ダクト５内に配置した排気温センサ２２およびバイメタルスイッチから成る第２オーバーヒートスイッチ２３（作動温度８５℃）とが設けられている。
【００２４】
また、機体１の前面の操作パネル２４には、図２に示す如く、電源スイッチ２５、乾燥運転の開始と一時停止とを指示するスタートスイッチ２６、衣類の乾燥運転のコース（標準、厚物、デリケート等）を選択するコース選択スイッチ２７および表示ユニット２８が設けられている。機体１内には、操作パネル２４に接続されるマイクロコンピュータから成るコントローラ２９が設けられており、上記各種センサ類からの信号がコントローラ２９に入力されている。
【００２５】
また、上記センサ類に加えて、回転ドラム２の回転を検出するドラム用回転検出器３０と、給排気ファン６の回転を検出するファン用回転検出器３１とを設け、これら回転検出器３０，３１からの信号（検出パルス）もコントローラ２９に入力している。ドラム用回転検出器３０は、回転ドラム２の周方向１箇所に取り付けた被検出片３０ａたる磁石と協働する磁気ピックアップで構成され、回転ドラム２の１回転で１個の検出パルスを発生する。ファン用回転検出器３１も、給排気ファン６の周方向１箇所に取り付けた被検出片３１ａたる磁石と協働する磁気ピックアップで構成され、給排気ファン６の１回転で１個の検出パルスを発生する。コントローラ２９は、常時は、各回転検出器３０，３１の検出パルスの発生周期に基づいて回転ドラム２および給排気ファン６の回転速度を算出し、その速度制御を行う。
【００２６】
コントローラ２９は、スタートスイッチ２６がオンされると、先ず、モータドライバ３２を介して駆動モータ７を起動し、給排気ファン６の回転で一定時間のプリパージを行った後、点火電極１３に高電圧を印加して火花放電を生じさせ、この状態で第１と第２の両電磁弁１０，１１を開弁してバーナ８にガスを供給し、バーナ８に点火して乾燥運転を行う。乾燥運転中は、比例弁１２の開度を調節してバーナ８の燃焼量を制御すると共に、駆動モータ７の回転速度を調節して給排気ファン６による給気量を制御し、回転ドラム２に供給する温風の熱量を運転状態に応じて変化させる。
【００２７】
ところで、運転中に、ドラム用ベルト２ａやファン用ベルト６ａが破断し、或いは、駆動モータ７に異常を生じて、回転ドラム２や給排気ファン６の回転が停止する可能性がある。そこで、コントローラ２９では、ドラム用回転検出器３０からの検出パルスに基づいて回転ドラム２の回転異常の有無を判別するドラム用異常判別処理と、ファン用回転検出器３１からの検出パルスに基づいて給排気ファン６の回転異常の有無を判別するファン用異常判別処理とを常時併行して実行している。更に、ドラム用とファン用の異常判別処理の判別結果に基づいて、駆動モータ７の異常か、ドラム用ベルト２ａの破断といった回転ドラム２単独の異常か、ファン用ベルト６ａの破断といった給排気ファン６単独の異常かを識別するための異常識別処理も行っている。
【００２８】
ドラム用異常判別処理の詳細は、図３（ａ）に示す通りであり、先ず、Ｓ１のステップでドラム用回転検出器３０から検出パルス（以下、ドラム回転パルスと記す）が発生されたか否かを判別し、ドラム回転パルスが発生されたときは、Ｓ２のステップでドラム用タイマＴＤを零リセットして、一回の処理を完了する。ドラム回転パルスが発生されていないときは、Ｓ３のステップでドラム用タイマＴＤの加算処理、即ち、直前のドラム回転パルスの発生時点からの経過時間を計時する処理が行われる。次に、Ｓ４のステップでドラム用タイマＴＤが所定の第１設定時間ＹＴ１を上回ったか否かが判別される。
【００２９】
第１設定時間ＹＴ１は、回転ドラム２が極低速で回転しているときのドラム回転パルスの発生周期に合わせて設定されるもので、例えば、１０ｒｐｍの回転速度におけるドラム回転パルスの発生周期である６秒に設定される。ＴＤ＞ＹＴ１でなければ、Ｓ５のステップでドラム異常フラグＦＤを零リセットして、一回の処理を完了する。
【００３０】
ＴＤ＞ＹＴ１になったとき、即ち、直前のドラム回転パルスの発生時点からドラム回転パルスが発生されないまま第１設定時間ＹＴ１が経過したときは、Ｓ６のステップでドラム異常フラグＦＤを「１」にセットする。
【００３１】
ファン用異常判別処理の詳細は、図３（ｂ）に示す通りであり、先ず、Ｓ１１のステップでファン用回転検出器３１から検出パルス（以下、ファン回転パルスと記す）が発生されたか否かを判別し、ファン回転パルスが発生されたときは、Ｓ１２のステップでファン用タイマＴＦを零リセットして、一回の処理を完了する。ファン回転パルスが発生されていないときは、Ｓ１３のステップでファン用タイマＴＦの加算処理、即ち、直前のファン回転パルスの発生時点からの経過時間を計時する処理が行われる。次に、Ｓ１４のステップでファン用タイマＴＦが所定の第２設定時間ＹＴ２を上回ったか否かが判別される。
【００３２】
第２設定時間ＹＴ２は、第１設定時間ＹＴ１に対する時間比（ＹＴ２／ＹＴ１）が給排気ファン６に対する回転ドラム２の回転速度比（約１／３０）以上になる範囲で第１設定時間ＹＴ１より短くなるように設定されるもので、例えば、ＹＴ２／ＹＴ１が１／３になるように、３０ｒｐｍの回転速度におけるファン回転パルスの発生周期である２秒に設定される。ＴＦ＞ＹＴ２でなければ、Ｓ１５のステップでファン異常フラグＦＦを零リセットして、一回の処理を完了する。
【００３３】
ＴＦ＞ＹＴ２になったとき、即ち、直前のファン回転パルスの発生時点からファン回転パルスが発生されないまま第２設定時間ＹＴ２が経過したときは、Ｓ１６のステップでファン異常フラグＦＦを「１」にセットする。
【００３４】
異常識別処理の詳細は、図３（ｃ）に示す通りであり、先ず、Ｓ２１のステップでファン異常フラグＦＦが「１」にセットされているか否かを判別する。ファン異常フラグＦＦが「１」にセットされていれば、Ｓ２２のステップで第１と第２の両電磁弁１０，１１を閉弁してバーナ８の燃焼を停止する。
【００３５】
次に、Ｓ２３のステップでファン異常フラグＦＦが「１」にセットされてから第１設定時間ＹＴ１と第２設定時間ＹＴ２との差分の待ち時間ΔＴが経過したか否かを判別する。そして、待ち時間ΔＴが経過したところでＳ２４のステップに進み、ドラム異常フラグＦＤが「１」にセットされているか否かを判別する。
【００３６】
ここで、駆動モータ７の異常を生ずると、図４に示す如く、回転ドラム２と給排気ファン６の回転速度が低下して、回転停止に至る。図中ＮＤＬは、ドラム回転パルスの発生周期が第１設定時間ＹＴ１になるドラム異常判別速度、ＮＦＬは、ファン回転パルスの発生周期が第２設定時間ＹＴ２になるファン異常判別速度である。
【００３７】
第１設定時間ＹＴ１に対する第２設定時間ＹＴ２の比（ＴＹ２／ＹＴ１）を給排気ファン６に対する回転ドラム２の回転速度比に等しく設定した場合、ファン回転パルスの発生周期が第２設定時間ＹＴ２になる回転速度は、回転ドラム２の回転速度がＮＤＬになった時点ｔ１での給排気ファン６の回転速度である図４のＮＦになる。ＴＹ２／ＴＹ１を給排気ファン６に対する回転ドラム２の回転速度比より大きくすると、ＮＦＬはＮＦより小さくなる。そのため、給排気ファン６の回転速度がファン異常判別速度ＮＦＬに低下した時点ｔ２では、回転ドラム２の回転速度は既にドラム異常判別速度ＮＤＬを下回っている。従って、ファン回転パルスの発生周期が第２設定時間ＹＴ２以上になるのよりも早くドラム回転パルスの発生周期が第１設定時間ＹＴ１以上になる。そして、ファン回転パルスが発生されないまま第２設定時間ＹＴ２が経過し、ファン異常フラグＦＦが「１」にセットされた時点から第１設定時間ＹＴ１と第２設定時間ＹＴ２との差分の待ち時間ΔＴが経過した時点では、ドラム回転パルスが発生されないまま第１設定時間ＹＴ１以上の時間が経過していることになり、ドラム異常フラグＦＤは既に「１」にセットされている。
【００３８】
従って、駆動モータ７の異常を生じたときは、Ｓ２４のステップでＦＤ＝１と判別される。このときはＳ２５のステップに進み、駆動モータ７の異常と識別して、その旨を操作パネル２４の表示ユニット２８に表示すると共に、ブザー等の報知器を作動させる。
【００３９】
Ｓ２４のステップでＦＤ＝０と判別されたときは、Ｓ２６のステップに進み、給排気ファン６単独の異常と識別して、その旨を操作パネル２４の表示ユニット２８に表示すると共に、ブザー等の報知器を作動させる。
【００４０】
また、Ｓ２１のステップでＦＦ＝０と判別されたときは、Ｓ２７のステップに進み、ドラム異常フラグＦＤが「１」にセットされているか否かを判別する。そして、ＦＤ＝１であれば、Ｓ２８のステップで第１と第２の両電磁弁１０，１１を閉弁してバーナ８の燃焼を停止し、更に、Ｓ２９のステップで回転ドラム２単独の異常と識別して、その旨を操作パネル２４の表示ユニット２８に表示すると共に、ブザー等の報知器を作動させる。
【００４１】
以上の処理によれば、回転ドラム２や給排気ファン６の回転異常を生じたとき、駆動モータ７の異常か、回転ドラム２単独の異常か、給排気ファン６単独の異常かを正確に可及的短時間に識別してその旨を表示でき、事後対策が容易になる。更に、回転ドラム２と給排気ファン６との何れの異常を生じても、直ちにバーナ８の燃焼が停止され、そのため、衣類Ｍや機器に悪影響が及ぶことを防止できる。
【００４２】
以上、加熱手段としてバーナ８を用いる衣類乾燥機について説明したが、電気ヒータや温水を循環させる熱交換器等で加熱手段を構成する衣類乾燥機にも同様に本発明を適用できる。
【図面の簡単な説明】
【図１】本発明に係る衣類乾燥機の全体構成図。
【図２】衣類乾燥機の制御系のブロック図。
【図３】（ａ）回転ドラムの異常判別処理を示すフロー図、（ｂ）給排気ファンの異常判別処理を示すフロー図、（ｃ）異常識別処理を示すフロー図。
【図４】駆動モータの異常時の回転ドラムと給排気ファンの回転速度変化を示すグラフ。
【符号の説明】
２…回転ドラム  ６…給排気ファン  ７…駆動モータ  ８…バーナ（加熱手段）２９…コントローラ  ３０…ドラム用回転検出器  ３０ａ…被検出片  ３１…ファン用回転検出器  ３１ａ…被検出片
【図１】
2004248729.tif 000003
【図２】
2004248729.tif 000004
【図３】
2004248729.tif 000005
【図４】
2004248729.tif 000006